(57)【要約】      （修正有）【課題】スピニングリールの発音機構及びスピニングリールにおいて、保持部材の劣化を防止する発音機構の提供。【解決手段】スピニングリールの発音機構９は、第１部材２１と、第２部材２２と、ピン部材２３と、コイルバネ２４と、金属製の保持部材２５とを、備える。第１部材２１は、スプールと一体回転可能に構成される。第１部材２１は、スプールの回転方向に間隔を隔てて配置される複数の凹凸部２１ｂを、有する。第２部材２２は、スプール軸に対して相対回転不能に構成される。ピン部材２３は、上記の凹凸部２１ｂに接触可能に配置される。コイルバネ２４は、ピン部材２３を凹凸部２１ｂに向けて付勢する。金属製の保持部材２５は、第２部材２２に取り付けられ、コイルバネ２４を保持する。【選択図】図５
2020048470.tif 000002
【特許請求の範囲】
【請求項１】
スプール及びスプール軸の相対回転によって発音するスピニングリールの発音機構であって、
前記スプールと一体回転可能に構成され、前記スプールの回転方向に間隔を隔てて配置される複数の凹凸部を、有する第１部材と、
前記スプール軸に対して相対回転不能に構成される第２部材と、
前記凹凸部に接触可能に配置されるピン部材と、
前記ピン部材を前記凹凸部に向けて付勢するコイルバネと、
前記第２部材に取り付けられ前記コイルバネを保持する金属製の保持部材と、
を備えるスピニングリールの発音機構。
【請求項２】
前記保持部材は、前記第２部材に取り付けられる取付部と、前記コイルバネを保持する保持部と、前記コイルバネを係止する係止部とを、有し、
前記取付部、前記保持部、及び前記係止部は、一体に形成される、
請求項１に記載のスピニングリールの発音機構。
【請求項３】
前記コイルバネは、前記第２部材及び前記保持部の間の空間に、配置され、
前記係止部は、前記空間の外側で前記コイルバネを係止する、
請求項２に記載のスピニングリールの発音機構。
【請求項４】
前記係止部は、前記凹凸部に対向可能なように、前記保持部と一体に形成される、
請求項２又は３に記載のスピニングリールの発音機構。
【請求項５】
前記保持部は、前記係止部及び前記凹凸部の間において、前記取付部に一体に形成される、
請求項２から４のいずれか１項に記載のスピニングリールの発音機構。
【請求項６】
前記保持部材は、プレス加工によって成型される、
請求項１から５のいずれか１項に記載のスピニングリールの発音機構。
【請求項７】
リール本体と、
前記リール本体に設けられるスプール軸と、
前記スプール軸と相対回転可能に配置されるスプールと、
前記スプール軸と前記スプールとの相対回転によって発音する請求項１から６のいずれか６項に記載の発音機構と、
を備えるスピニングリール。
【発明の詳細な説明】
【技術分野】
【０００１】
本発明は、スピニングリールの発音機構、特に、スプール及びスプール軸の相対回転によって発音するスピニングリールの発音機構に、関する。また、本発明は、本スピニングリールの発音機構を有するスピニングリールに、関する。
【背景技術】
【０００２】
従来のスピニングリールの発音機構、例えばドラグ発音機構では、コイルバネを保持する保持部材が、合成樹脂によって形成される（特許文献１を参照）。保持部材は、取付部と、筒状部と、係止突起とを、有する。筒状部は、取付部と一体に形成される。筒状部の内部には、コイルバネが配置される。係止突起は、筒状部の内部に配置される。
【０００３】
このタイプのドラグ発音機構では、係止突起を筒状部の内部に配置するために、係止突起を取付部と別体で形成する必要がある。この場合、まず、コイルバネが、筒状部に配置される。次に、係止突起が、コイルバネの基端部に挿通される。この状態で、係止突起が取付部に取り付けられる。これにより、保持部材及びコイルバネが、１ユニットとして組み立てられる。最後に、保持部材及びコイルバネが、カバー部材（凹凸部）と相対回転する部材、例えば第１ディスクに、取り付けられる。
【先行技術文献】
【特許文献】
【０００４】
【特許文献１】特開２００６−２１７８４９号公報
【発明の概要】
【発明が解決しようとする課題】
【０００５】
従来のドラグ発音機構では、保持部材が合成樹脂によって形成されているので、ドラグ機構の発熱によって保持部材が劣化するおそれがあった。また、従来のドラグ発音機構では、保持部材及びコイルバネを１ユニットとして組み立てるためには、取付部と別体の係止突起を、コイルバネに係止し、取付部に取り付ける必要がある。このため、保持部材及びコイルバネを１ユニットとして組み立てるために必要な工数が、多くなっていた。また、保持部材は小さな部材であるので、係止突起を、コイルバネに係止させたり、取付部に取り付けたりすることが難しかった。
【０００６】
本発明は、上記の問題に鑑みてなされたものであって、本発明の目的は、保持部材の劣化を防止できるスピニングリールの発音機構及びスピニングリールを、提供することにある。また、本発明の目的は、保持部材及びコイルバネの組立性を向上できるスピニングリールの発音機構及びスピニングリールを、提供することにある。
【課題を解決するための手段】
【０００７】
本発明の一側面に係るスピニングリールの発音機構は、スプール及びスプール軸の相対回転によって発音する機構である。
【０００８】
スピニングリールの発音機構は、第１部材と、第２部材と、ピン部材と、コイルバネと、金属製の保持部材とを、備える。第１部材は、スプールと一体回転可能に構成される。第１部材は、スプールの回転方向に間隔を隔てて配置される複数の凹凸部を、有する。
【０００９】
第２部材２２は、スプール軸に対して相対回転不能に構成される。ピン部材は、上記の凹凸部に接触可能に配置される。コイルバネは、ピン部材を凹凸部に向けて付勢する。金属製の保持部材は、第２部材に取り付けられ、コイルバネを保持する。
【００１０】
本スピニングリールの発音機構では、保持部材が金属製であるので、スピニングリールの発音機構の近傍で他の構成が発熱したとしても、保持部材の劣化を防止することができる。
【００１１】
本発明の他の側面に係るスピニングリールの発音機構では、保持部材が、第２部材に取り付けられる取付部と、コイルバネを保持する保持部と、コイルバネを係止する係止部とを、有することが好ましい。ここでは、取付部、保持部、及び係止部は、一体に形成される。
【００１２】
この場合、保持部材において係止部を取付部に取り付ける必要がない。このため、コイルバネを、保持部材の係止部に係止させ、保持部材の保持部に保持させることによって、保持部材及びコイルバネを１ユニットとして容易に組み立てることができる。このように、本スピニングリールの発音機構では、保持部材及びコイルバネの組立性を向上することができる。
【００１３】
本発明の他の側面に係るスピニングリールの発音機構では、コイルバネは、第２部材及び保持部の間の空間に、配置されることが、好ましい。ここでは、係止部は、この空間の外側でコイルバネを係止する。
【００１４】
この場合、コイルバネが第２部材及び保持部の間の空間に配置された状態で、この空間の外側で係止されるので、コイルバネを保持部材に容易に取り付けることができる。
【００１５】
本発明の他の側面に係るスピニングリールの発音機構では、係止部は、凹凸部に対向可能なように、保持部と一体に形成されることが、好ましい。
【００１６】
この場合、コイルバネは、係止部に係止された状態で、ピン部材を凹凸部に向けて確実に付勢することができる。
【００１７】
本発明の他の側面に係るスピニングリールの発音機構では、保持部は、係止部及び凹凸部の間において、取付部に一体に形成されることが、好ましい。
【００１８】
この場合、コイルバネを、係止部及び凹凸部の間において、保持部によって確実に保持することができる。
【００１９】
本発明の他の側面に係るスピニングリールの発音機構では、保持部材は、プレス加工によって成型されることが、好ましい。
【００２０】
この場合、保持部材の各構成を、容易に形成することができる。また、保持部材が複雑な形状であったとしても、保持部材を容易に形成することができる。
【００２１】
本発明の他の側面に係るスピニングリールは、リール本体と、リール本体に設けられるスプール軸と、スプール軸と相対回転可能に配置されるスプールと、スプール軸とスプールとの相対回転によって発音する上記の構成のいずれか１つの発音機構とを、備える。
【００２２】
本スピニングリールは、上記の発音機構を有するので、上記と同様の効果を得ることができる。
【発明の効果】
【００２３】
本発明によれば、スピニングリールの発音機構及びスピニングリールにおいて、保持部材の劣化を防止することができる。また、本発明によれば、スピニングリールの発音機構及びスピニングリールにおいて、保持部材及びコイルバネの組立性を向上することができる。
【図面の簡単な説明】
【００２４】
【図１】本発明の一実施形態が採用されたスピニングリールの側面図。
【図２】スピニングリールの断面図。
【図３】スピニングリールの部分拡大断面図。
【図４】発音機構をリール本体側から見た側面図。
【図５】発音機構をスプール側から見た側面図。
【図６】発音機構を部分的に拡大した斜視図。
【発明を実施するための形態】
【００２５】
本発明の一実施形態を採用したスピニングリール１００は、図１に示すように、リール本体２と、ハンドル３と、スプール軸４（図２を参照）と、スプール５と、ロータ６と、ドラグ機構８（図２を参照）と、発音機構９（図２を参照）とを、備える。
【００２６】
なお、スプール軸４の軸心を、軸心Ｘと記す。軸心Ｘが延びる方向、及び軸心Ｘに沿う方向を、軸方向と記す。軸心Ｘを中心として軸心Ｘまわりの方向を、回転方向（周方向）と記す。軸心Ｘを中心として軸心Ｘから離れる方向を、径方向と記す。また、軸方向において、釣り糸が繰り出される方向を“前方”と記し、“前方”とは反対の方向を“後方”と記す。
【００２７】
図２に示すように、リール本体２は、リール本体部２ａと、円筒部２ｂと、を有する。リール本体部２ａは、内部空間を有する。内部空間には、スプール５を前後方向に移動するためのオシレーティング機構１２が、配置される。
【００２８】
また、内部空間には、ロータ６を駆動するためのロータ駆動機構（図示しない）の一部が、配置される。リール本体部２ａの前部には、円筒部２ｂが設けられる。円筒部２ｂには、円筒部２ｂの内部には、ワンウェイクラッチ１４が配置される。なお、オシレーティング機構１２及びロータ駆動機構は、従来の構成と実質的に同じであるので、ここでは説明を省略する。
【００２９】
ハンドル３は、リール本体２に回転可能に支持される。本実施形態では、ハンドル３がリール本体２の左側に配置される場合の例を示すが、ハンドル３はリール本体２の右側に配置されてもよい。
【００３０】
スプール軸４は、リール本体２に支持される。スプール軸４は、軸方向に延びる。スプール軸４は、オシレーティング機構１２によって、リール本体２に対して前後方向に往復移動する。スプール５は、ドラグ機構８を介して、スプール軸４に連結される。
【００３１】
スプール５は、軸方向において、スプール軸４と一体的に移動可能に構成される。例えば、スプール５は、スプール軸４の先端部に螺合するドラグ操作部１５を介して、スプール軸４に装着される。
【００３２】
これにより、上述したようにスプール軸４がリール本体２に対して前後方向に往復移動すると、スプール５もリール本体２に対して前後方向に往復移動する。なお、図２では、スプール５が、リール本体２に対して最も後方に移動したときの例を、示す。
【００３３】
また、スプール５は、スプール軸４に対して相対回転可能に構成される。例えば、スプール５は、ドラグ機構８を介して、スプール軸４に対して相対回転可能に連結される。
【００３４】
スプール５は、糸巻き胴部５ａと、フランジ部５ｂと、スカート部５ｃと、を有している。糸巻き胴部５ａの外周には、釣り糸が巻き付けられる。フランジ部５ｂは、糸巻き胴部５ａの前部に一体に形成される。
【００３５】
スカート部５ｃは、糸巻き胴部５ａの後部に一体に形成される。スカート部５ｃは、軸方向において、フランジ部５ｂと間隔を隔てて配置される。例えば、スカート部５ｃは、壁部５１ｃと、筒部５２ｃとを、有する。
【００３６】
壁部５１ｃは、糸巻き胴部５ａに一体に形成される。壁部５１ｃは、実質的に円環状に形成される。壁部５１ｃは、糸巻き胴部５ａの後部から径方向外側に向けて延びる。壁部５１ｃには、ドラグ収納部５３ｃが、設けられる。
【００３７】
例えば、ドラグ収納部５３ｃは、筒部５２ｃの径方向内側において、壁部５１ｃと一体に形成される。ドラグ収納部５３ｃは、実質的に円筒状に形成される。ドラグ収納部５３ｃは、壁部５１ｃから軸方向（後方）に延びる。ドラグ収納部５３ｃの径方向内側には、ドラグ機構８が収納される。ドラグ収納部５３ｃの内周面には、複数の第１係合凹部５３ｄ（図３を参照）が設けられる。複数の第１係合凹部５３ｄは、周方向に間隔を隔てて配置される。
【００３８】
筒部５２ｃは、壁部５１ｃの外周部に一体に形成される。筒部５２ｃは、壁部５１ｃの外周部から軸方向（後方）に延びる。筒部５２ｃの外径は、糸巻き胴部５ａの外径より大径である。筒部５２ｃの径方向内側には、発音機構９が配置される。
【００３９】
ロータ６は、スプール５に釣り糸を巻き付けるためのものである。ロータ６は、リール本体２に対して回転可能に構成される。ロータ６は、ピニオンギア１６と一体回転可能に連結される。ピニオンギア１６には、ロータ駆動機構を介して、ハンドル３の回転が伝達される。ピニオンギア１６は、筒状に形成される。ピニオンギア１６の内周部には、スプール軸４が挿通される。
【００４０】
図３に示すように、ドラグ機構８は、ドラグ操作部１５（図２を参照）を調整することによって、スプール５にドラグ力を作用させる。ドラグ機構８は、スプール５及びスプール軸４の間に配置される。
【００４１】
ドラグ機構８は、複数の第１摩擦ディスク８ａと、少なくとも１つ（例えば１枚）の第２摩擦ディスク８ｂとを、有する。第１摩擦ディスク８ａ及び第２摩擦ディスク８ｂは、軸方向において、交互に配置される。第１摩擦ディスク８ａ及び第２摩擦ディスク８ｂは、軸方向において互いに接触し、摩擦力を発生させる。
【００４２】
第１摩擦ディスク８ａは、スプール５に一体回転可能に装着される。第１摩擦ディスク８ａの外周部には、複数の第１係合凸部８１ａが設けられる。複数の第１係合凸部８１ａそれぞれは、周方向に間隔を隔てて配置される。複数の第１係合凸部８１ａそれぞれは、ドラグ収納部５３ｃの第１係合凹部５３ｄに係合する。このように、第１摩擦ディスク８ａは、スプール５に一体回転可能に構成される。
【００４３】
第２摩擦ディスク８ｂは、スプール軸４に一体回転可能に装着される。例えば、第２摩擦ディスク８ｂは、連結部材１０を介して、スプール軸４に一体回転可能に装着される。第２摩擦ディスク８ｂの内周部には、複数の第２係合凹部８１ｂが設けられる。複数の第２係合凹部８１ｂそれぞれは、周方向に間隔を隔てて配置される。
【００４４】
図３に示すように、連結部材１０は、スプール軸４に回転不能に装着される。連結部材１０は、複数の第２係合凸部１０ａと、孔部１０ｂとを、有する。複数の第２係合凸部１０ａは、連結部材１０の外周部に設けられる。複数の第２係合凸部１０ａそれぞれは、周方向に間隔を隔てて配置される。複数の第２係合凸部１０ａそれぞれには、第２摩擦ディスク８ｂの第２係合凹部８１ｂが係合する。このようにして、第２摩擦ディスク８ｂは、連結部材１０に対して回転不能に装着される。
【００４５】
孔部１０ｂは、連結部材１０の中央部に設けられる。孔部１０ｂは、非円形に形成される。孔部１０ｂには、スプール軸４において外周面が非円形に形成された部分が、挿通される。このようにして、連結部材１０は、スプール軸４に対して回転不能に装着される。この状態において、連結部材１０は、スプール軸４に対して軸方向に位置決めされる。
【００４６】
発音機構９は、スプール５及びスプール軸４の相対回転によって、発音する。
【００４７】
図３及び図４に示すように、発音機構９は、第１部材２１と、第２部材２２と、ピン部材２３と、コイルバネ２４と、金属製の保持部材２５とを、備える。
【００４８】
第１部材２１は、スプール５に一体回転可能に構成される。第１部材２１は、スプール５に対して相対回転不能に構成されると解釈してもよい。例えば、第１部材２１は、取付部材２６（図２を参照）を介して、スプール５に一体回転可能に取り付けられる。取付部材２６は、実質的に円筒状に形成される。取付部材２６は、スプール５に一体回転可能に取り付けられる。取付部材２６は、ドラグ収納部５３ｃの外周面に固定される。
【００４９】
図５に示すように、第１部材２１は、本体部２１ａと、複数の凹凸部２１ｂとを、有する。本体部２１ａは、実質的に環状に形成される。本体部２１ａは、取付部材２６の内周面に取り付けられる。複数の凹凸部２１ｂは、本体部２１ａの内周部に形成される。複数の凹凸部２１ｂそれぞれは、スプール５の回転方向に間隔を隔てて配置される。
【００５０】
第２部材２２は、スプール軸４に対して相対回転不能に構成される。第２部材２２は、連結部材１０に対して相対回転不能に取り付けられる。例えば、第２部材２２は、固定手段例えばネジ部材２９によって、連結部材１０（図２を参照）に固定される。
【００５１】
図３〜図５に示すように、第２部材２２は、カバー部２２ａと、被取付部２２ｂとを、有する。カバー部２２ａは、第１部材２１を覆う。詳細には、カバー部２２ａは、第１部材２１及び取付部材２６を、覆う（図３を参照）。
【００５２】
カバー部２２ａは、第１筒状部２２ａ１と、第１環状壁部２２ａ２とを、有する。第１筒状部２２ａ１は、第１部材２１及び取付部材２６よりも径方向外側に配置される。第１環状壁部２２ａ２は、第１筒状部２２ａ１の内周面に一体に形成される。第１環状壁部２２ａ２は、第１筒状部２２ａ１の内周面から径方向内側に延びる。第１環状壁部２２ａ２は、軸方向において、第１部材２１の側方に配置される。
【００５３】
被取付部２２ｂには、保持部材２５が取り付けられる。被取付部２２ｂは、カバー部２２ａの内周部に一体に形成される。被取付部２２ｂは、第１部材２１よりも径方向内側に配置される（図３を参照）。
【００５４】
被取付部２２ｂは、第２筒状部２２ｂ１と、第２環状壁部２２ｂ２とを、有する。第２筒状部２２ｂ１は、第１環状壁部２２ａ２の内周部に一体に形成される。第２筒状部２２ｂ１は、第１環状壁部２２ａ２の内周部から軸方向（前方）に延びる。
【００５５】
第２筒状部２２ｂ１は、第１部材２１よりも径方向内側に配置される。第２筒状部２２ｂ１は、径方向おいて、第１部材２１と間隔を隔てて配置される。第２筒状部２２ｂ１には、窓部２２ｂ３が形成されている。窓部２２ｂ３は、第２筒状部２２ｂ１を径方向に貫通する。窓部２２ｂ３には、ピン部材２３及びコイルバネ２４が、挿通される。
【００５６】
第２環状壁部２２ｂ２は、第２筒状部２２ｂ１に一体に形成される。第２環状壁部２２ｂ２は、第２筒状部２２ｂ１から径方向内側に延びる。第２環状壁部２２ｂ２は、固定手段例えばネジ部材２９（図２を参照）によって、連結部材１０に固定される。詳細には、第２環状壁部２２ｂ２は、シール部材を支持する支持部材２８を介して、ネジ部材２９によって連結部材１０に固定される。
【００５７】
図４及び図５に示すように、ピン部材２３は、複数の凹凸部２１ｂそれぞれに接触可能に配置される。図６に示すように、ピン部材２３は、頭部２３ａと、軸部２３ｂとを、有する。頭部２３ａは、複数の凹凸部２１ｂそれぞれに接触する部分である。軸部２３ｂは、頭部２３ａに設けられる。軸部２３ｂは、コイルバネ２４の内周部に配置される。
【００５８】
図３〜図５に示すように、コイルバネ２４は、ピン部材２３を凹凸部２１ｂに向けて付勢する。図３及び図６に示すように、コイルバネ２４は、軸方向において、第２部材２２及び保持部材２５のバネ保持部２５ｂ（後述する）の間の空間Ｓに、配置される。詳細には、コイルバネ２４は、軸方向において、第２環状壁部２２ｂ２及びバネ保持部２５ｂの間の空間Ｓに、配置される。
【００５９】
図３〜図６に示すように、コイルバネ２４は、径方向において、第２部材２２の第１筒状部２２ａ１及び保持部材２５のバネ係止部２５ｃ（後述する）の間に、配置される。詳細には、コイルバネ２４は、径方向において、凹凸部２１ｂ及び保持部材２５の係止部の間に、配置される。
【００６０】
より詳細には、図６に示すように、コイルバネ２４は、ピン部材２３の頭部２３ａ及び保持部材２５の係止部の間に配置される。コイルバネ２４の一端部はピン部材２３の頭部２３ａに当接し、コイルバネ２４の他端部は保持部材２５のバネ係止部２５ｃに係止される。
【００６１】
図４〜図６に示すように、金属製の保持部材２５は、第２部材２２に取り付けられ、コイルバネ２４を保持する。保持部材２５は、プレス加工によって成型される。保持部材２５は、１対の取付部２５ａと、バネ保持部２５ｂ（保持部の一例）と、バネ係止部２５ｃ（係止部の一例）とを、有する。１対の取付部２５ａ、バネ保持部２５ｂ、及びバネ係止部２５ｃは、一体に形成される。
【００６２】
１対の取付部２５ａは、第２部材２２に取り付けられる。例えば、１対の取付部２５ａは、互いに間隔を隔てて配置される。１対の取付部２５ａそれぞれは、固定手段例えばネジ部材２５ｄによって、第２環状壁部２２ｂ２に固定される。
【００６３】
バネ保持部２５ｂは、コイルバネ２４を保持するためのものである。バネ保持部２５ｂは、１対の取付部２５ａに一体に形成される。バネ保持部２５ｂは、バネ係止部２５ｃ及び凹凸部２１ｂの間において、１対の取付部２５ａに一体に形成される。
【００６４】
バネ保持部２５ｂは、１対の取付部２５ａを連結する。例えば、バネ保持部２５ｂは、一方の取付部２５ａから他方の取付部２５ａに向けて湾曲しながら、１対の取付部２５ａを連結する。これにより、１対の取付部２５ａが第２部材２２に取り付けられた状態において、バネ保持部２５ｂ及び第２環状壁部２２ｂ２の間には、コイルバネ２４を配置するための空間Ｓ（図６を参照）が、設けられる。
【００６５】
バネ係止部２５ｃは、コイルバネ２４を係止する。例えば、図６に示すように、バネ係止部２５ｃは、係止部は、上記の空間Ｓの外側で、コイルバネ２４の他端部を係止する。バネ係止部２５ｃは、バネ保持部２５ｂに設けられる。例えば、バネ係止部２５ｃは、凹凸部２１ｂに対向可能なように、バネ保持部２５ｂと一体に形成される。詳細には、保持部材２５が第２部材２２に取り付けられた状態において、バネ係止部２５ｃは、バネ保持部２５ｂから径方向内側に延び、第２部材２２例えば第２環状壁部２２ｂ２に向けて折り曲げられる。
【００６６】
上記の構成を有する発音機構９では、スプール５がドラグ機構８を介してスプール軸４に対して相対回転すると、コイルバネ２４に装着されたピン部材２３が、凹凸部２１ｂに繰り返し接触する。この接触によって、発音機構９は発音する。
【００６７】
このような発音機構９では、保持部材２５が金属製であるので、発音機構９の近傍でドラグ機構８が発熱したとしても、保持部材２５の劣化を防止することができる。また、取付部２５ａ、バネ保持部２５ｂ、及びバネ係止部２５ｃが、一体に形成されるので、保持部材２５においてバネ係止部２５ｃを取付部２５ａに取り付ける必要がない。このため、コイルバネ２４を、保持部材２５のバネ係止部２５ｃに係止させ、保持部材２５のバネ保持部２５ｂに保持させることによって、保持部材２５及びコイルバネ２４を１ユニットとして容易に組み立てることができる。このように、発音機構９では、保持部材２５及びコイルバネ２４の組立性を向上することができる。
【００６８】
＜他の実施形態＞
（ａ）前記実施形態では、第１部材２１の本体部２１ａが取付部材２６に取り付けられる場合の例を、示した。これに代えて、第１部材２１の本体部２１ａが、取付部材２６と一体に形成されてもよい。この場合、第１部材２１は、本体部２１ａと、複数の凹凸部２１ｂと、第１部材用の取付部２６とを、有する。第１部材用の取付部２６は、スプール５例えばドラグ収納部５３ｃに、前記実施形態と同様に固定される。
【００６９】
（ｂ）前記実施形態では、第２部材２２は、支持部材２８を介して、スプール軸４に対して相対回転不能である連結部材１０に、装着される場合の例を示した。これに代えて、第２部材２２は、スプール軸４に対して相対回転不能である連結部材１０に、直接的に装着されてもよい。
【００７０】
（ｃ）前記実施形態では、第２部材２２は、支持部材２８を介して、スプール軸４に対して相対回転不能である連結部材１０に、装着される場合の例を示した。これに代えて、第２部材２２は、スプール軸４に対して相対回転不能に直接的に装着されてもよい。
【００７１】
（ｄ）前記実施形態では、バネ係止部２５ｃが、凹凸部２１ｂに対向可能なように、バネ保持部２５ｂに一体に形成される場合の例を示した。これに代えて、図７に示すように、バネ係止部２５ｃは、凹凸部２１ｂに対向可能なように、取付部２５ａと一体に形成してもよい。
【符号の説明】
【００７２】
１００  スピニングリール
４  スプール軸
５  スプール
９  発音機構
２１  第１部材
２２  第２部材
２３  ピン部材
２４  コイルバネ
２５  保持部材
２１ｂ  凹凸部
２５ａ  取付部
２５ｂ  バネ保持部
２５ｃ  バネ係止部
【図１】
2020048470.tif 000003
【図２】
2020048470.tif 000004
【図３】
2020048470.tif 000005
【図４】
2020048470.tif 000006
【図５】
2020048470.tif 000007
【図６】
2020048470.tif 000008